(57)【特許請求の範囲】
【請求項１】
光源ユニットと器具本体とを備えた照明器具であって、
前記光源ユニットは、光源部及び前記光源部を覆う透光性のカバーを具備し、
前記器具本体は、照明空間に面して設けられた収納凹部に前記光源ユニットを収納して被取付部に取り付けられ、
前記器具本体において前記収納凹部の周りにある側枠部の端面が、前記カバーの表面に対して照明空間と反対側に位置し、
複数台の前記照明器具が前記器具本体を互いに接触させた状態で配置される場合に、隣接する他の前記照明器具が備える前記光源ユニットからの入射光が、前記収納凹部の底面において前記側枠部と前記光源ユニットとの間の領域に照射されないように、前記入射光を前記側枠部で遮光できる程度の高さ寸法に、前記底面からの前記側枠部の高さ寸法が設定されたことを特徴とする照明器具。
【発明の詳細な説明】
【技術分野】
【０００１】
本発明は、照明器具に関するものである。
【背景技術】
【０００２】
従来、光源として蛍光ランプを用いた照明器具が提供されているが、ＬＥＤの高輝度化が進んだことによって、蛍光ランプに代えて低消費電力のＬＥＤを光源に用いた照明器具が提供されている（例えば特許文献１参照）。特許文献１に開示される照明器具は、下面が開口する矩形箱状の器具本体と、器具本体内に一定間隔で横並びに配置される複数の直管形ＬＥＤランプと、隣接するＬＥＤランプの間にそれぞれ配置されＬＥＤランプからの光を下向きに反射する複数の反射板を備える。この照明器具では、ＬＥＤランプから照射される光のうち、下側に向かう一部の光はそのまま下側に照射され、横方向に向かう他の光は反射板によって下側に反射されるので、反射板による反射光の分だけ下側（照明空間）に向かう光量を増加させることができる。
【先行技術文献】
【特許文献】
【０００３】
【特許文献１】実用新案登録第３１４７５７７号公報
【発明の概要】
【発明が解決しようとする課題】
【０００４】
ところで、特許文献１に開示された照明器具では、器具本体の下面においてＬＥＤランプが配置される凹部の外側部分に、ＬＥＤランプからの光が届きにくく、その結果、外側部分が暗く見え、外観の見栄えが悪くなるという問題があった。
【０００５】
本発明は上記問題点に鑑みて為されたものであり、その目的とするところは、器具本体の表面が暗く見えるのを低減した照明器具を提供することにある。
【課題を解決するための手段】
【０００６】
本願の照明器具は、光源ユニットと器具本体とを備えた照明器具である。光源ユニットは、光源部及び光源部を覆う透光性のカバーを具備する。器具本体は、照明空間に面して設けられた収納凹部に光源ユニットを収納して被取付部に取り付けられる。器具本体において収納凹部の周りにある側枠部の端面が、カバーの表面に対して照明空間と反対側に位置する。複数台の照明器具が器具本体を互いに接触させた状態で配置される場合に、隣接する他の照明器具が備える光源ユニットからの入射光が、収納凹部の底面において側枠部と光源ユニットとの間の領域に照射されないように、入射光を側枠部で遮光できる程度の高さ寸法に、底面からの側枠部の高さ寸法が設定されたことを特徴とする。
【発明の効果】
【０００８】
本発明によれば、器具本体において収納凹部の周りにある側枠部の端面に、光源ユニットから照射される光が届きやすくなり、器具本体の表面が暗く見えるのが抑制されるから、外観の見栄えが向上するという効果がある。
【図面の簡単な説明】
【０００９】
【図１】本実施形態の照明器具が長手方向に２台並べて設置された状態を示し、（ａ）は短幅方向から見た要部の断面図、（ｂ）は要部の下面図である。
【図２】同上の長手方向から見た断面図である。
【図３】同上の施工手順を説明する説明図である。
【図４】同上の施工手順を説明する別の説明図である。
【図５】同上を示し、（ａ）は側面図、（ｂ）は下面図である。
【図６】同上に用いられる光源ユニットの分解斜視図である。
【発明を実施するための形態】
【００１０】
以下に、本発明に係る照明器具の実施形態を図１〜図６に基づいて説明する。本実施形態の照明器具Ａは、例えば図１及び図２に示すように天井面（造営面）１００に取り付けられ、照明空間たる室内を照明するために用いられる。
【００１１】
図２は本実施形態の照明器具Ａを長手方向から見た断面図であり、この照明器具Ａは、取付ベース１と、取付金具２と、前面カバー３と、光源ユニット４とを主要な構成として備える。ここにおいて、取付ベース１と取付金具２と前面カバー３とで、光源ユニット４を保持して、被取付部（例えば天井などの造営面）に取り付けられる器具本体５が構成される。
【００１２】
取付ベース１は、図２〜図４に示すように、長尺且つ矩形板状の底面部１１と、底面部１１の幅方向（図２中の左右方向）における両端から底面部１１と直交する方向に折り曲げられた側壁部１２とで断面視Ｕ字状に形成されている。底面部１１には、長手方向における複数箇所に、ねじ挿通孔（図示せず）を有するボス部１３，１３が幅方向に並べて２個ずつ設けられている。また各側壁部１２には、２個１組の係止孔１４，１４が長手方向における両端にそれぞれ設けられている。この取付ベース１は、ボス部１３のねじ挿通孔に通された取付ねじ（図示せず）を天井面１００にねじ込むことによって、天井面１００に取り付けられる。
【００１３】
取付金具２は、図２〜図４に示すように、矩形板状の底面部２１と、底面部２１の幅方向（図２中の左右方向）における両端から底面部２１と直交する方向に折り曲げられた側壁部２２とで略角樋状に形成されている。各側壁部２２には、取付ベース１の各側壁部１２に設けられた２個１組の係止孔１４，１４に係止される２個１組の係止爪２３，２３が設けられている。また底面部２１には、前面カバー３を取り付けるための取付ねじ７がねじ込まれるねじ孔（図示せず）が設けられている。なお取付金具２は、取付ベース１の長手方向（図３中の左右方向）における両端に１個ずつ取り付けられる。
【００１４】
前面カバー３は、図２〜図４に示すように、長尺状の底面部３６と、底面部３６の幅方向（図２中の左右方向）における両端から底面部３６と直交する方向に折り曲げられた側壁部３７とで略矩形箱状に形成されている。底面部３６には、光源ユニット４が収納される収納凹部３２が長手方向（図３中の左右方向）に沿って設けられ、収納凹部３２の底壁３２ａには、取付ねじ７が挿通されるねじ挿通孔３３が長手方向の両端にそれぞれ設けられている（図５（ｂ）参照）。収納凹部３２の幅方向における両側壁からなる反射部３４，３４は、収納凹部３２の底部から離れるにつれて互いの間隔が広くなるように傾斜する傾斜面からなる。各反射部３４は、収納凹部３２内に収納された光源ユニット４からの光を照明空間（図２中の下側の空間）側に反射させる。また各反射部３４の開口側の端縁と、対応する側壁部３７との間には、天井面１００と平行な方向（すなわち光源ユニット４の光軸方向と略直交する方向）に延設された平坦部３５が設けられている。また、前面カバー３において、収納凹部３２の長手方向における両側部には板状の側壁部３８が設けられており、側壁部３８の下面は平坦部３５と略同じ高さとなっている。ここにおいて、収納凹部３２の幅方向における両側に設けられた平坦部３５と、収納凹部３２の長手方向における両側に設けられた側壁部３８とで、収納凹部３２の周りにある側枠部３９が構成されている。そして、図１（ａ）に示すように、側枠部３９の端面（平坦部３５及び側壁部３８の下面）は、収納凹部３２に収納される光源ユニット４の表面（下面）に対して、照明空間と反対側（図１（ａ）における上側）に位置するように、収納凹部３２の深さ寸法や側枠部３９の高さ寸法が設定されている。
【００１５】
光源ユニット４は、図２及び図６に示すように、光源部４４と、放熱部材４２と、絶縁部材４３と、取付部材４１と、カバー４５とを主要な構成として備える。
【００１６】
光源部４４は、絶縁材料（例えばセラミック）により長尺の矩形板状に形成された実装基板４４ａと、実装基板４４ａの表面（図６中の下面）に実装される複数個の発光ダイオード（図示せず）と、実装基板４４ａの表面に形成される導電体（図示せず）を備える。複数個の発光ダイオードは、実装基板４４ａの長手方向に沿って等間隔且つ直線状に並べて実装され、透光性を有し且つ蛍光材料が混合された合成樹脂製の封止部材４４ｂで封止されている。すなわち、発光ダイオードから放射される光（例えば、青色光）の一部が蛍光材料で波長変換され、波長変換された光（例えば、黄色光）と波長変換されなかった光（青色光）が混ざることにより、光源部４４から放射される光が全体として白色光となる。
【００１７】
放熱部材４２は、長尺の平板状に形成された主片４２ａと、主片４２ａの幅方向における両端から主片４２ａと直交する方向に延設された一対の側片４２ｂとが熱伝導度の高い材料（例えば、アルミ板）によって一体に形成されている。主片４２ａの一方の面（光源部４４が載置される面。以下、載置面という。）には、光源部４４に近づく向きに突出する複数（図６では２個）の突条部４２ｃが長手方向に沿って設けられている。また各側片４２ｂには、複数（図６では３個）の係合突起４２ｄが長手方向に沿って設けられている。
【００１８】
絶縁部材４３は、放熱部材４２の主片４２ａと光源部４４の実装基板４４ａの間に介装される長尺且つ平板状の主部４３ａと、主部４３ａの幅方向における両端から斜めに突出する一対の反射部４３ｂ，４３ｂとが一体に形成された合成樹脂成形品からなる。一対の反射部４３ｂ，４３ｂは、主部４３ａから離れるにつれて互いの間隔が広くなるように、主部４３ａに対して斜めに傾斜する。一対の各反射部４３ｂにおいて光源部４４と対向する面には、例えばめっき処理が施されることによって反射面が形成されている。各反射部４３ｂの反射面は、光源部４４から放射される光のうち側方に放射される一部の光を、照明空間（図２中の下側の空間）側に反射する。この絶縁部材４３が放熱部材４２の主片４２ａに載置された状態において、突条部４２ｃが挿通される長孔状の挿通孔４３ｃが主部４３ａの中央に貫通している。絶縁部材４３の長手方向の一端側には、放熱部材４２の端部を塞ぐ壁部４３ｄが突設されている。
【００１９】
また絶縁部材４３は、放熱部材４２の主片４２ａに設けられた複数の位置決め孔４２ｅにそれぞれ挿通される複数の位置決め突起４３ｅを有している。位置決め突起４３ｅは、主部４３ａの幅方向における両端から放熱部材４２の主片４２ａに近付く向きに突出する円柱形状に形成されるとともに、主部４３ａの長手方向に沿って等間隔に配設されている。而して、主片４２ａの位置決め孔４２ｅにそれぞれ位置決め突起４３ｅが挿通され、且つ、主部４３ａの挿通孔４３ｃに突条部４２ｃが挿通されることにより、放熱部材４２に対して絶縁部材４３が位置決めされる。なお、位置決め突起４３ｅと反対向きに突出する円柱状の突起４３ｆが各位置決め突起４３ｅと一体に形成されており、これらの突起４３ｆにより、光源部４４並びに放熱部材４２を前方及び側方から覆う透光性のカバー４５が支持される。
【００２０】
さらに各反射部４３ｂにおける反射面と反対側の面には係止爪４３ｇが突設されており、これらの係止爪４３ｇを放熱部材４２の側片４２ｂに設けられた係止孔４２ｆに挿入係止することで、放熱部材４２に対して絶縁部材４３が抜け止めされる（図２参照）。
【００２１】
取付部材４１は例えば鋼板からなり、長尺且つ矩形板状の底板４１ａと、底板４１ａの幅方向における両端から底板４１ａと直交する方向に折り曲げられた一対の側板４１ｂとが一体且つ略角樋状に形成されている。この取付部材４１は、放熱部材４２の側片４２ｂ，４２ｂ間に収納された状態で、かしめ固定やネジ止めなどの適当な方法によって放熱部材４２に固定される。
【００２２】
さらに、取付部材４１には取付金具４６を用いてレセプタクルコネクタ４７が取り付けられている。レセプタクルコネクタ４７は、光源部４４の導電体（図示せず）と電気的に接続された電線（図示せず）が接続される接続端子部４７ａと、プラグコネクタ７（図３参照）が差し込まれるコネクタ接続部４７ｂとを有している。プラグコネクタ７は電線６を介して点灯装置（図示せず）に接続されており、プラグコネクタ７をレセプタクルコネクタ４７に差込接続することで点灯装置と光源部４４とが電気的に接続され、点灯装置から光源部４４に給電されて光源部４４が発光（点灯）する。
【００２３】
取付金具４６は、レセプタクルコネクタ４７を保持する矩形枠状のコネクタ保持部４６ａと、コネクタ保持部４６ａの端部より曲げ起こされた略台形状の支持部４６ｂと、支持部４６ｂの先端より突出する一対の固定爪４６ｃとが一体に設けられている。この取付金具４６は、取付部材４１の底板４１ａの端部に形成された一対の固定溝４１ｄ（図６では片側のみ図示）に固定爪４６ｃが挿通され、且つ、支持部４６ｂを貫通するねじ挿通孔４６ｄに挿通されたねじ（図示せず）が底板４１ａの長手方向における両端に形成されたねじ孔４１ｃ（図３では右端のねじ孔４１ｃ）にねじ込まれることによって、取付部材４１に固定される。
【００２４】
カバー４５は、アクリル樹脂やポリカーボネート樹脂などの透光性を有する合成樹脂材料により、所定の曲率で形成された曲面からなる底面部４５ａと底面部４５ａの周囲を囲む側壁部４５ｂとを有する長尺の矩形箱状に形成されている。また、カバー４５において長手方向に沿った一対の側壁部４５ｂには、放熱部材４２の側片４２ｂに設けられた複数の係合突起４２ｄが係脱自在に係合する複数の係合凹部４５ｃがそれぞれ設けられている（図２参照）。このカバー４５は、底面部４５ａの内面及び外面にそれぞれ凹凸突起を設けることで光源部４４から放射された光を拡散させる機能を有しており、底面部４５ａを通して放射された光源部４４からの光は広角に配光される。ここに本実施形態では、底面部４５ａにより主拡散面が構成されている。
【００２５】
次に、光源ユニット４の組立手順について、図２及び図６を参照しながら説明する。まず、一対の絶縁部材４３が長手方向に沿って並べられ、両絶縁部材４３の主部４３ａの載置面に光源部４４が載置され、かしめ固定や接着などの適当な方法によって各絶縁部材４３と結合される。
【００２６】
続いて、光源部４４と結合された一対の絶縁部材４３が放熱部材４２の主片４２ａに取り付けられる。このとき、絶縁部材４３に設けられた係止爪４３ｇが、放熱部材４２の側片４２ｂに設けられた係止孔４２ｆに挿入係止されることで、絶縁部材４３が放熱部材４２に対して抜け止めされる。そして、取付金具４６によってレセプタクルコネクタ４７が取り付けられた取付部材４１が、かしめやねじなどの適当な方法によって放熱部材４２に固定される。最後に、底面部４５ａを光源部４４に対向させる向きでカバー４５が放熱部材４２に被せられると、側壁部４５ｂの係合凹部４５ｃに側片４２ｂの係合突起４２ｄが係合して、カバー４５が放熱部材４２に結合されることで光源ユニット４の組み立てが完了する。
【００２７】
さらに、本実施形態の照明器具Ａの施工手順について、図３及び図４を参照しながら説明する。尚、前面カバー３には光源ユニット４及び取付金具２が予め取り付けられているものとする。光源ユニット４は、前面カバー３の収納凹部３２に収納され、ねじ止めなどの適当な方法で前面カバー３に固定される。光源ユニット４が収納凹部３２に収納された状態では、収納凹部３２の底壁３２ａに設けられた開口を通して、レセプタクルコネクタ４７が底壁３２ａよりも上側に露出している。また、ねじ挿通孔３３に挿通させたプラグコネクタ７が、それぞれ対応する取付金具２のねじ孔にねじ込まれることによって、２個の取付金具２，２が前面カバー３に固定されている。
【００２８】
照明器具Ａを施工するにあたっては、まず、施工者は、各ボス部１３のねじ挿通孔に挿通させた取付ボルト（図示せず）を天井材にねじ込むことによって、取付ベース１を天井面１００に固定する。続いて、施工者は、取付ベース１の近くまで前面カバー３を持ち上げ、前面カバー３に組み付けられた光源ユニット４のレセプタクルコネクタ４７にプラグコネクタ７を差込接続する。その後、取付ベース１が側壁部３７の内側に納まるように施工者が前面カバー３を上側に移動させると、取付金具２の係止爪２３が取付ベース１の係止孔１４に係止されることによって、前面カバー３が取付金具２を介して取付ベース１に取り付けられる。これにより照明器具Ａの施工が完了する（図２及び図５参照）。
【００２９】
ここで、図２は照明器具Ａを天井面１００に取り付けた状態の断面図である。前面カバー３に設けられた反射部３４は、光源部４４の光軸中心Ｌ２に対して角度θ１で傾斜している。また、絶縁部材４３に設けられてカバー４５の内側に配置される反射部４３ｂは、光源部４４の光軸中心Ｌ２に対して角度θ２で傾斜しており、反射部４３ｂの傾斜角度θ２は反射部３４の傾斜角度θ１に比べて大きくなっている（θ２＞θ１）。つまり本実施形態では、内側に配置される反射部４３ｂの傾斜角度を外側に配置される反射部３４の傾斜角度よりも大きくすることで広角な配光を実現している。また外側に配置される反射部３４の傾斜角度を小さくすることで、器具全体の幅寸法を小さくすることができて照明器具Ａの小型化が図れる。
【００３０】
また図２中の二点鎖線は、カバー４５の底面部４５ａに沿って延長された曲面ｂを示しており、本実施形態では、この曲面ｂに対して光源ユニット４に近い側に前面カバー３の平坦部３５が位置している。そして、カバー４５と平坦部３５がこのような位置関係にあることで、カバー４５で拡散させた光を平坦部３５に向けて照射することができる。
【００３１】
而して本実施形態によれば、光源ユニット４から照射された光を反射部３４及び反射部４３ｂで反射させることで照明空間への照射光量を確保することができる。しかもカバー４５で拡散させた光を平坦部３５に向けて照射できることから、平坦部３５が暗くなることがなく光むらを低減することができる。
【００３２】
ところで、近年、高輝度の発光ダイオード（ＬＥＤ）が開発されたことによって、既設の蛍光灯用照明器具を、低消費電力のＬＥＤランプを用いたＬＥＤ照明器具に置き換えたいというニーズが生まれている。蛍光灯用照明器具からＬＥＤ照明器具への置き換えを容易にするためには、ＬＥＤ照明器具の器具本体を蛍光灯用照明器具の器具本体と同一形状で且つ同一寸法とすることが好ましい。また従来、直管蛍光ランプには定格ランプ出力の違いによって全長の異なるものが複数種類製造されているが、直管蛍光ランプの全種類に対応して直管形のＬＥＤランプを新たに製造しようとすると、ＬＥＤランプの品種が多くなって製造コストが高くなる。
【００３３】
そのため、本実施形態の照明器具Ａでは、基本となる長さの光源ユニット４を複数種類用意し、基本長の光源ユニット４を１乃至複数組み合わせ、直線的に並べることによって、多品種の直管蛍光ランプの代替品を実現している。したがって、光源ユニット４の長さが、規格化されている既存の直管蛍光ランプに比べて短くなる場合がある。一方、器具本体５の大きさ（全長）は既存の蛍光灯用照明器具の器具本体と同じ大きさに形成されているので、図１（ａ）（ｂ）に示されるように、器具本体５の長手方向両端部と光源ユニット４との間に隙間ができてしまう。
【００３４】
そこで、本実施形態では光源ユニット４の長手方向両側の側壁部４５ｂにも透光性を持たせており、光源部４４から光源ユニット４の長手方向に照射された光の一部が、カバー４５の内面で反射されるなどして光源ユニット４の長手方向に照射されるようにしている。そして、光源ユニット４から長手方向に照射された光の一部は、収納凹部３２の底壁３２ａ表面（底面）に照射されることになり、収納凹部３２の底面において側枠部３９と光源ユニット４との間の領域Ａ１が暗くなるのを抑えて、目立ちにくくできる。また光源ユニット４は側枠部３９よりも下側に位置し、光源部４４からの光はカバー４５の内面で反射されるなどして、一部が斜め上向きに照射されるので、光源ユニット４からの光が側枠部３９の端面（つまり平坦部３５及び側壁部３８の下面）に照射される。これにより、側枠部３９の端面が暗くなるのを抑えて、外観の見栄えをよくできる。
【００３５】
また、図１（ａ）（ｂ）に示すように、光源ユニット４が直線上に並ぶようにして複数台の照明器具Ａが器具本体５を互いに接触させた状態で設置される場合、側壁部３８の下面に光が照射されないと、この部分が暗くなって隣接する照明器具Ａの突き合わせ部分が暗く見える。そこで本実施形態では側枠部３９よりも光源ユニット４の下面を下方に配置し、光源ユニット４から照射される光の一部を上側に照射させ、側枠部３９（側壁部３８及び平坦部３５）の端面に照射させることによって、側枠部３９の端面が暗くなるのを抑制している。
【００３６】
また、隣接する照明器具Ａの光源ユニット４から長手方向に照射された光の一部は側壁部３８の下側を通過して自器の収納凹部３２内に入射する。側壁部３８の高さ寸法（つまり底壁３２ａから側壁部３８の下端までの寸法）が低いと、隣接する照明器具Ａからの入射光が、底壁３２ａにおいて側枠部３９と光源ユニット４との間の領域Ａ１に部分的に照射され、この部分の明るさにムラが発生する可能性がある。そこで、本実施形態では、隣接する照明器具Ａから長手方向に照射された光が、底壁３２ａの底面において側枠部３９と光源ユニット４との間の領域Ａ１に照射されないように、この光を側壁部３８で遮光できる程度の高さ寸法に、底壁３２ａからの側壁部３８の高さ寸法が設定されている。すなわち、収納凹部３２の底壁３２ａにおいて側壁部３８と光源ユニット４との間の領域Ａ１のうち光源ユニット４側の端位置Ｐ１と、隣接する照明器具Ａが備える光源ユニット４の下面において自器に近い側の端位置Ｐ２とを結ぶ直線Ｌ１（図１（ａ）参照）よりも側壁部３８が下方に突出するように、側壁部３８の高さ寸法が設定されている。よって隣接する照明器具Ａの光源ユニット４から長手方向に照射された光は側壁部３８で遮光され、自器の収納凹部３２の底壁３２ａにおいて、側壁部３８と光源ユニット４の間の領域Ａ１に照射されにくくなるから、領域Ａ１の明るさにムラができにくくなる。
【００３７】
以上説明したように、本願の照明器具Ａは、光源部４４及び光源部４４を覆う透光性のカバー４５を具備した光源ユニット４と、照明空間に面して設けられた収納凹部３２に光源ユニット４を収納して被取付部（図示せず）に取り付けられる器具本体５とを備える。そして、器具本体５において収納凹部３２の周りにある側枠部３９（平坦部３５及び側壁部３８）の端面が、カバー４５の表面に対して照明空間と反対側に位置することを特徴とする。
【００３８】
これにより、光源ユニット４のカバー４５から外側に放射された光の一部が側枠部３９の端面に照射されるから、側枠部３９が暗くなるのを抑制して、側枠部３９の見栄えをよくできる。
【００３９】
この照明器具Ａにおいて、複数台の上記照明器具Ａが器具本体５を互いに接触させた状態で配置される場合に、隣接する他の照明器具Ａが備える光源ユニット４からの入射光が、収納凹部３２の底面（つまり底壁３２ａの表面）において側枠部３９（すなわち側壁部３８）と光源ユニット４との間の領域Ａ１に照射されないように、入射光を側枠部３９（側壁部３８）で遮光できる程度の高さ寸法に、上記底面からの側枠部３９（側壁部３８）の高さ寸法が設定されることも好ましい。
【００４０】
これにより、隣接する他の照明器具Ａが備える光源ユニット４からの入射光の一部が側枠部３９によって遮光され、収納凹部３２の底面（底壁３２ａの表面）において側枠部３９と光源ユニット４との間の領域Ａ１に入射光が照射されにくくなる。したがって、領域Ａ１の明るさにムラができにくくなり、外観の見栄えが向上する。
【００４１】
なお本実施形態では、光源ユニット４を２列に配置した長方形タイプの照明器具Ａを例に説明したが、例えば光源ユニット４を４列や８列に配置したスクエアタイプの照明器具であってもよく、本実施形態に限定されない。また本実施形態では、発光ダイオードを光源としているが、光源は発光ダイオードに限定されるものではなく、蛍光灯などであってもよい。さらに、光源ユニット４の個数は本実施形態に限定されるものではなく、１個でもいいし、３個以上であってもよい。
【符号の説明】
【００４２】
Ａ  照明器具
１  取付ベース
３  前面カバー
４  光源ユニット
５  器具本体
３２  収納凹部
３２ａ  底壁
３５  平坦部
３８  側壁部
３９  側枠部
４４  光源部
４５  カバー
１００  天井面
【図１】
0005861093.tif 000002
【図２】
0005861093.tif 000003
【図３】
0005861093.tif 000004
【図４】
0005861093.tif 000005
【図５】
0005861093.tif 000006
【図６】
0005861093.tif 000007